(57)【要約】【課題】作業ベイでの設置スペースの節約性、作業効率性、安全性、意匠性等に配慮したスープ類の小分け装置を提案すること。【解決手段】弁部材が、外筒状の外弁と、この外弁に回動自在に組み込まれた内筒状の内弁と、この内弁に摺動部分が組み込まれた押し出し作動体とを備え、また、外弁の吸引孔用嵌合部にホッパーが装着されるスープ類の小分け装置Ｘに於いて、小分け装置Ｘを横方向に複数台併設し、これらの小分け装置Ｘは、それぞれ前壁下部から外方向に突出する左右一対の固定杆を備え、これらの固定杆には、前記小分け装置Ｘから供給されるスープ類を収納する容器用受け皿部材を横方向に複数個備えた連結部材を嵌脱自在に設けたこと。【選択図】図７
2008195410.tif 000002
【特許請求の範囲】
【請求項１】
弁部材が、外筒状の外弁と、この外弁に回動自在に組み込まれた内筒状の内弁と、この内弁に摺動部分が組み込まれた押し出し作動体とを備え、また、外弁の吸引孔用嵌合部にホッパーが装着されるスープ類の小分け装置Ｘに於いて、前記小分け装置Ｘを横方向に複数台併設し、これらの小分け装置Ｘは、それぞれ前壁下部から外方向に突出する左右一対の固定杆を備え、これらの固定杆には、前記小分け装置Ｘから供給されるスープ類を収納する容器用受け皿部材を横方向に複数個備えた連結部材を嵌脱自在に設けたことを特徴とするスープ類の小分け装置。
【請求項２】
請求項１に於いて連結部材には、横方向に所定間隔を設けて画定開口が形成され、これらの画定開口には、容器からこぼれたスープ類を受け取る受け皿部材が脱着自在に嵌め込まれることを特徴とするスープ類の小分け装置。
【請求項３】
請求項１に於いて、固定杆は固定レールであり、一方、連結部材は前記固定レールを前後方向にスライドする横長の矩形枠状部材であることを特徴とするスープ類の小分け装置。
【請求項４】
請求項１に於いて、連結部材の左右部位の側壁は、連結対象の小分け装置の数に対応して、最も左右に位置する固定杆に嵌り合うように寸法設定されていることを特徴とするスープ類の小分け装置。
【請求項５】
請求項１に於いて、受け皿部材２７は、フランジ２８ａを介して連結部材２０の画定開口２１にそれぞれ嵌着する凹所状皿本体２８と、この皿本体２８に脱着自在に嵌合する受板２９とから成ることを特徴とするスープ類の小分け装置。
【請求項６】
請求項１に於いて、連結部材は、小分け装置Ｘの前壁下部或は固定杆に対して磁石の極性に対応して吸着自在に固定されることを特徴とするスープ類の小分け装置。
【請求項７】
請求項１に於いて、固定杆８ａは、長杆状ベース部材８の先端部側を利用していることを特徴とするスープ類の小分け装置。
【発明の詳細な説明】
【技術分野】
【０００１】
本発明は、スープ類の小分け装置に関する。
【背景技術】
【０００２】
特許文献１乃至特許文献３は、本願発明者が提案したものである。これらの特許文献１、特許文献２及び特許文献３には、「弁部材が、外弁としての外筒体と、この外筒体に回動自在に組み込まれた内弁としての内筒体と、この内筒体に摺動部分が組み込まれた押し出し作動体とを備え、また、外筒体の吸引孔用嵌合部にホッパーが装着されるスープ類の小分け装置」が記載されている。
【０００３】
特に、特許文献１は、弁部材（エンジン本体）が小分け装置の水平板に着脱自在にセットできる構成が記載されている。また、特許文献２には、ホッパーがクランプを含む連結手段を介して弁部材に取り外し可能に装着される構成が記載されている。さらに、特許文献３には、攪拌しなから、スープ類をコップに供給する旨が記載されている。
【０００４】
ところで、上記構成の小分け装置を業務用で使用する場合には、同一の場所で複数台使用されている。また、小分け装置のホッパーには、例えば熱いスープ類が入っていることから、仮に地震等より倒れると危険である。
【０００５】
そこで、現在、設置スペースの節約性、作業効率性、安全性、意匠性等に配慮したスープ類の小分け装置の出現が要望されている。
【特許文献１】特開２００７−７５０５号公報
【特許文献２】特開２００５−２５３３５５号公報
【特許文献３】特許第３２６７９６４号公報
【発明の開示】
【発明が解決しようとする課題】
【０００６】
本発明の所期の目的は、作業ベイでの設置スペースの節約性、作業効率性、安全性、意匠性等に配慮したスープ類の小分け装置を提案することである。第２の目的は、複数台の小分け装置を、可能に限り隙間なく横一連に簡単に連結し、又は簡単に分離することができることである。第３の目的は、スープ類が容器からこぼれても、連結部材の受け皿部材で受け取ることができることである。第４の目的は、受け皿部材で受け取ったスープ類を簡単に捨てることができることである。その他、連結部材を固定杆に装着したとき、連結部材が振動しない（ガタツカない）こと、固定杆が強靭であることなどである。
【課題を解決するための手段】
【０００７】
本発明のスープ類の小分け装置は、弁部材が、外筒状の外弁と、この外弁に回動自在に組み込まれた内筒状の内弁と、この内弁に摺動部分が組み込まれた押し出し作動体とを備え、また、外弁の吸引孔用嵌合部にホッパーが装着されるスープ類の小分け装置Ｘに於いて、前記小分け装置Ｘを横方向に複数台併設し、これらの小分け装置Ｘは、それぞれ前壁下部から外方向に突出する左右一対の固定杆を備え、これらの固定杆には、前記小分け装置Ｘから供給されるスープ類を収納する容器用受け皿部材を横方向に複数個備えた連結部材を嵌脱自在に設けたことを特徴とする。
【０００８】
上記構成に於いて、連結部材には、横方向に所定間隔を設けて画定開口が形成され、これらの画定開口には、容器からこぼれたスープ類を受け取る受け皿部材が脱着自在に嵌め込まれることを特徴とする。また、固定杆は固定レールであり、一方、連結部材は、前記固定レールを前後方向にスライドする横長の矩形枠状部材であることを特徴とする。また、連結部材の左右部位の側壁は、連結対象の小分け装置の数に対応して、最も左右に位置する固定杆に嵌り合うように寸法設定されていることを特徴とする。また、連結部材は、小分け装置に対して磁石の極性に対応して固定されることを特徴とする。さらに、受け皿部材２７は、フランジ２８ａを介して連結部材２０の画定開口２１にそれぞれ嵌着する凹所状皿本体２８と、この皿本体２８に脱着自在に嵌合する受板２９とから成ることを特徴とする。加えて、固定杆８ａは、長杆状ベース部材８の先端部側を利用していることを特徴とする。
【０００９】
ここで「スープ類」とは、スープ、具入りスープ、味噌汁などの流体、スープに類似する半流動体をいう。
【発明の効果】
【００１０】
（１）複数台の小分け装置を、可能に限り隙間なく横一連に簡単に連結することができるので、作業ベイでの設置スペースの節約性、作業効率性、安全性、意匠性等優れている。特に、地震の時に容易に倒れない。
（２）連結部材が嵌脱自在なので、横一連に簡単に連結し、又は簡単に分離することができる。
（３）スープ類が容器からこぼれても、連結部材の受け皿部材で受け取ることができる。
（４）受け皿部材で受け取ったスープ類を簡単に捨てることができる。
（５）固定杆が、長杆状のベース部材の先端部側を利用している実施例の場合は強靭である。したがって、容易に折れない。
【発明を実施するための最良の形態】
【００１１】
以下、図１乃至図１２に示す本発明を実施するための最良の形態により説明する。
【００１２】
（１）発明の実施の環境
図１乃至図３は発明の実施の環境を示す概略説明図である。図１は、スープ類（以下、「スープ」という。）の１台の小分け装置Ｘと、スープ用のホッパーＹと、ホッパーに収納されたスープを攪拌する攪拌手段Ｚとの関係を示す。
【００１３】
図２は、１台の小分け装置Ｘの右側面視からの概略説明図である。図１及び図２は、ホッパーＹを小分け装置Ｘにセットした後にホッパー本体４１から栓部材４３を抜き取り、蓋体６１を有する攪拌手段Ｚをホッパー本体４１にセットした状態を示す。
【００１４】
付言すると、小分け装置Ｘの使用時、まず、ホッパーＹから栓部材４３を抜き、次に、ホッパーＹに攪拌手段Ｚをセットする（図１）。しかる後、駆動源３２、３４を起動する。図３は小分け装置Ｘの主要部と駆動源を示す。
【００１５】
本発明は、複数台（例えば３台）の小分け装置Ｘを横方向に隣接状態に並べ、横長枠状の連結手段（例えば枠状摺動連結部材）を介して一体的に連結した点に特徴がある。まず、本発明の連結部材２０の構成を説明する前に、本発明の適用対象である小分け装置Ｘの基本的な構成を説明する。
【００１６】
（２）小分け装置Ｘの基本的な構成
小分け装置Ｘの基本的構成は、特許文献１に記載されている。すなわち、特許文献１には、小分け装置Ｘの弁部材（エンジン本体）が、外筒体（外弁）と、この外筒体に回動自在に組み込まれた内筒体（内弁）と、この内筒体に摺動部分が組み込まれかつ従動作動杆を有する押し出し作動体とを備えていることが記載されている。
【００１７】
また、小分け装置Ｘの駆動源側は、駆動源と、この駆動源の駆動力により、かつ、支持部材に案内されて水平移動する駆動作動杆とを備えている旨が記載されている。
【００１８】
また、弁部材の従動作動杆と駆動源側の駆動作動杆との連結時、前記弁部材の係合部分が、前記駆動作動杆の先端部に取付けた連結支持具に係脱することが記載されている。さらに、前記連結支持具は、バネ部材で常時所定方向に付勢された状態で前記駆動作動杆に片手式に軸支され、該連結支持具は、取付け用枢支板部の先端部に連設する垂直板部と、該垂直板部の前面に突出状態に連設する係止部とから成ることが記載されている。
【００１９】
本発明は、この特許文献１の基本的な構成を前提として、複数台の小分け装置Ｘを横方向に隣接状態に並べ、横長枠状の連結手段を介して一体的に連結したものである。また、ホッパーＹの装着構造を改良した。
【００２０】
（３）固定側部材１
小分け装置Ｘの基本的構成は、特許文献１に記載されている（公知事項）。したがって、図３では本発明に関係のある小分け装置Ｘの主要部を概略断面で示している。なお、細部的な事項は図面を割愛している。また駆動源側を概念的に示している。
【００２１】
さて、図３を参照にすると、１は固定側部材（筐体を含む）である。この固定側部材１の形態は特に問わない。固定側部材１は、図１及び図２で示すように、ボックス状の筐体部分１ａ及び筐体部分１ａよりも下方に位置するカバー状前壁１ｂの下部から前方（外方向）に突出する固定杆８ａを有している。
【００２２】
付言すると、固定側部材１は、例えば図１２で示すように、２本の長杆状ベース部材（例えば角筒状のパイプ部材）８を備え、これらの長杆状ベース部材８の先端部側８ａが被嵌合部分又は固定レールとして利用される。
【００２３】
一方、長杆状ベース部材８の後端部側８ｂは、ベース部分（支持台）として利用される。本実施例では、前記後端部側８ｂに固定側部材１を構成する骨組み部材８ｃが「やぐら状」に溶着されている。後述する連結手段（例えば枠状の摺動連結部材）２０は、一実施例としての固定レール８ａに嵌脱自在に嵌合する。
【００２４】
また、筐体部分１ａの上部には、蝶番を介してケース状のカバー部分１ｃが設けられている。また、固定側部材１は、筐体部分１ａの前面中央部に図示しない加熱手段又は冷却手段を内蔵する筒状の支持部材１ｅを有している。ホッパーＹ用支持部材１ｅの内面はすり鉢状に形成されている。
【００２５】
さらに、固定側部材１は、支持部材１ｅと固定レール８ａとの間にアルミ製の上部水平板１ｆを有している。なお、前記上部水平板１ｆには、符号を付さない弁部材用開口、駆動歯車用開口、伝動歯車用開口など複数個の開口或いは切欠部が適宜に形成されている。
【００２６】
（４）外筒体３
まず、弁部材（エンジン本体）２を構成する外筒体（外弁）３の構成を説明する。外筒体３は、左右の両端部がそれぞれ開口する長筒状の周胴部分３ａと、この周胴部分の一端部側の開口に嵌合するヘッド３ｂとから成る。
【００２７】
周胴部分３ａの適宜箇所の上面には吸引孔４を形成する短筒状の嵌合部５が突壁状に周設されている。この嵌合部５にはホッパーＹの突出下端部４１ｃが弾性体４６を介して着脱自在に嵌入する。
【００２８】
一方、周胴部分３ａの適宜箇所の下面には、吸引孔４と対向する吐出孔６が形成されている。そして、この吐出孔６には、吐出ノズルを含むシール部材７が螺着自在に取付けられる。
【００２９】
ところで、外筒体３は、所要の長さを有し、かつ、上部水平板１ｆに取り外し可能に固定されている。なお、吸引孔４及び吐出孔６は、本実施例では単数である。また吸引孔４と吐出孔６の形状は、例えば円形である。
【００３０】
（５）内筒体１１
内筒体（内弁）１１は、外筒体３に嵌合した状態で、かつ、第１駆動源３２の駆動力により回転する。また、ホッパーＹの下端部から吸引孔４を介して所定量のスープｆを内部に取り込み、かつ、吐出孔６を介して外部（例えばコップ１７）に吐出する定量筒体である。したがって、内筒体１１は、外筒体２に対して内弁の機能を発揮する。
【００３１】
そこで、内筒体１１の挿入先端部（図３、左）には、外筒体３の吸引孔４及び吐出孔６に選択的に連通する一つの開口１２が形成されている。
【００３２】
ところで、本実施例の内筒体１１は、長筒状本体１１ａと、該長筒状本体と係脱可能であり、かつ、後退移動した連結支持具１９を包む短筒状後端部１１ｂとを有し、前記短筒状後端部１１ｂは、駆動源側に設けられた弾発性部材（バネ）１５により長筒状本体１１ａの後端部に係合する方向に常に付勢されている。
【００３３】
したがって、本実施例の弁部材２は、吸引孔４及び吐出孔６を有する外筒体３と、この外筒体に回動自在に組み込まれた内筒体１１と、この内筒体に摺動部分１８ａが組み込まれかつ従動作動杆１８ｂを有する押し出し作動体１８とから成る。
【００３４】
そして、弁部材２は、従動作動杆１８ｂと駆動作動杆３０との連結時、該弁部材２を連結支持具１９の係止部１９ａのテーパーに対して水平方向に押し込むと、簡単に連結状態となる。
【００３５】
一方、弁部材２を取り外す時、該弁部材２を、多少持ち上げすると、弁部材２と連結支持具１９の係合関係が簡単に解消するように工夫されている。
【００３６】
（６）駆動源３２、３４
小分け装置Ｘは、複数個の駆動源（駆動モータ）３２、３４を備えている。図３では、固定側部材１の筐体部分１ａに内装された第１駆動源３２、第２駆動源３４等を概念的に示している。筐体部分１ａの適宜箇所には、制御手段を有する電源用基板３１が設けられている。
【００３７】
しかして、第１駆動源３２の駆動力は、動力伝達手段３３を介して内筒体１１の後端部１１ｂに伝えられる。内筒体１１は第１駆動源３２の駆動力により、間欠的に所定量回転する。
【００３８】
一方、第２駆動源３４の駆動力は、クラッチを含む動力変換機構３５を介して駆動作動杆３０の後端部に伝えられる。駆動作動杆３０は第２駆動源３４の駆動力により、所定位置まで進退動する。なお、駆動作動杆３０用の位置検知手段は省略している。また、符号１６は駆動作動杆３０用の支持部材、１７は横長枠状連結部材２０の受け皿部材２７に載置されたコップである。
【００３９】
（７）ホッパーＹ
図４は、本発明のホッパーＹに関する説明図である。図４ではホッパーＹに栓をし、かつ、その内に包袋４０のスープｆを入れた状態も示している。
【００４０】
本実施例のホッパーＹは、少なくとも人の手で持ち運びできる大きさに形成され、その突出下端部４１ｃの周溝４６ａに嵌着した弾性体４６を介して弁部材２の外筒体３の突出嵌合部５に着脱自在（カートリッチ式）に嵌入する。
【００４１】
図４で示すように、本実施例のホッパーＹは、全体として「じょうご形状」に形成されたホッパー本体４１と、このホッパー本体４１の上方開口４７を閉じる蓋体４２と、前記ホッパー本体４１の底面に形成された嵌合孔（下端開口）４８に着脱自在に嵌着する栓部材４３とから構成されている。なお、スープｆは、例えば合成樹脂製の包袋４０に収納されている。
【００４２】
まず、ホッパー本体４１について説明する。ホッパー本体４１は、上端部が大きく開口４７する「長筒状部４１ａ」と、この長筒状部４１ａの下端部に連設する「すり鉢状部分４１ｂ」と、このすり鉢状部分４１ｂに連設すると共に底面に小さい嵌合孔（円形開口）４８を有する「突出下端部４１ｃ」とから成っている。
【００４３】
そして、前記長筒状部４１ａには把手４５が回転自在に取付けられている。また、前記突出下端部４１ｃの外周に周設された周溝４６ａには、環状弾性体（例えば輪状のゴム）４６が固定的に装着されている。
【００４４】
次に、栓部材４３について説明する。栓部材４３は、円盤状の栓本体４３ａと、この栓本体４３ａの中心部に垂直状態に固定された細長い棒状体４３ｂとから構成されている。
【００４５】
しかして、細長い棒状体４３ｂは、その取付け基端部５０からフック状に折り曲げた操作用上端部５１までパイプ状に形成されている。したがって、ホッパー本体４１の嵌合孔４８に栓本体４３ａを嵌め込んだ状態でホッパーＹを弁部材２の嵌合部５にセットした場合には、弁部材２の内部の圧力を、棒状体４３ｂを介して外部へと逃がすことが可能である。
【００４６】
（８）ホッパーＹのセット
小分け装置Ｘを使用する際、まず、図３で示すように、上部水平板１ｆに弁部材（エンジン本体）２をセットする。
【００４７】
次に、図５で示すように、弁部材２の外筒体３の嵌合部５にホッパーＹの突出下端部４１ｃを、弾性体４６を介して嵌め込む。次に、図６で示すように、栓部材４３を嵌合孔４８から引き抜くと、ホッパーＹ内の具入りスープｆは、吸引孔４、開口１２を介して内筒体１１内に入り込む。そこで、図１で示すように攪拌手段Ｚを小分け装置Ｘにセットした後、駆動源を起動する。
【００４８】
なお、図１で示す攪拌手段Ｚは、攪拌蓋６１、回転軸６２、複数個の攪拌羽６３、角軸６４用の嵌合凹所部材６５を有している。角軸６４は小分け装置Ｘのカバー部分１ｃに内装された攪拌用駆動モータ６６の駆動力によって回転する。
【００４９】
（９）各小分け装置Ｘの固定杆
複数台の小分け装置Ｘを一連に連結する連結部材２０は、複数台の小分け装置Ｘの各固定杆（例えば固定レール）８ａに沿って水平方向にスライドする枠状の摺動連結部材である。以下、図７乃至図１２を参照にして、本発明の主要部を説明する。
【００５０】
図７は合計３台の小分け装置Ｘ（下部側のみ示す）を横方向に、かつ、隣接状態に併設した状態と、横長の矩形枠状に形成された連結部材２０を示す。図７は連結部材２０を各小分け装置Ｘの固定レール８ａに同時に嵌め込む前の状態である。
【００５１】
しかして、各固定杆８は、その下面の前後にアジャスター、ゴム脚等の脚部材９を備えている。本実施例の固定杆８は、前述したように所定長さの角筒状の長杆部材である（図１２）。
【００５２】
固定杆８の一部である固定レール８ａは、外観上、一台の小分け装置Ｘの前壁１ｂの下部に所定間隔を有して左右一対存在する。本実施例では、合計３台の小分け装置Ｘを略隙間なく併設していることから、一番左側に１本、一番右側に１本、中央部寄りの部位にそれぞれ２本ずつ「合計６本」の固定レール８ａが存在する。
【００５３】
（１０）連結部材２０
図７、図８等を参照にして連結部材２０の構成を説明する。本実施例の連結部材２０は、横方向に合計３個の画定開口２１を有する枠状の摺動連結部材である。また、前記画定開口２１には、図１０で示す受け皿部材２７が脱着自在に嵌め込まれる。付言すると、連結部材２０は、小分け装置Ｘから供給されるスープ類を収納する容器用受け皿部材２７を横方向に複数個備え、前記各固定レール８ａに対して嵌脱自在である。
【００５４】
また、連結部材２０は金属板で形成され、その左右部位の端面Ｌ形状の側壁２２が、連結対象の最も左右に位置する固定レール８ａ，８ａに同時に嵌り合うように寸法設定されている。
【００５５】
しかして、２３は左右の側壁２２の先端部にそれぞれ直交するように連結する先端連結部で、この先端連結部２３は、特に図示しないが、例えば断面コ字形状に形成されている。
【００５６】
一方、２４は左右の側壁２２の後端部にそれぞれ直交するように連結する後端連結部で、この後端連結部２４は、横方向に所定間隔を有して、かつ、下方方向に折り曲げ形成された合計３枚の吸着片２４ａを有する。これらの吸着片２４ａは、各固定レール８の間の空間部分に入り込むことができるように寸法設定されている。
【００５７】
２５は先端連結部２３の上壁と後端連結部２４の上壁に連設する合計２枚の仕切板である。本実施例では、左右の側壁２２の上壁と所要間隔を有して平行する仕切り板２５はそれぞれ平坦であり、前述した３個の画定開口２１を形成する。
【００５８】
本実施例では、嵌着（装着）時、連結部材２０が「振動」しないように、例えば各小分け装置Ｘの前壁１ｂの下部にそれぞれ磁石２６が固定的に設けられている。これらの磁石２６は、連結部材２０の各吸着片２４ａにそれぞれ対向する。したがって、連結部材２０は、嵌着時、前記磁石２６の極性に対応して固定される。図９は連結部材２０を嵌め込み、かつ、押してセットした状態の概略説明図である。
【００５９】
図１０に示した受け皿部材２７は、フランジ２８ａを介して連結部材２０の画定開口２１にそれぞれ嵌着する凹所状の皿本体２８と、この皿本体２８に脱着自在に嵌合する蓋状の受板２９とから成る。
【００６０】
しかして、前記凹所状の皿本体２８には、開口に２本の支持棒２８ｂが架設されている。また、前記受板２９の中央部には、コップ用の円形支持孔２９ａが形成されていると共に、その適宜箇所には、コップからこぼれ落ちたスープを皿本体２８へ流すための複数本のスリット状切欠２９ｂが形成されている。
【実施例】
【００６１】
発明の実施の形態で示した実施例に於いて、小分け装置Ｘの前壁下部から外方向に突出する左右一対の固定杆は、長杆状のベース部材８であり、その先端部側が固定レール８ａとして利用されているが、連結部材２０が単なる嵌め込み式の場合には、固定レール８ａの部分は、被嵌合部分となる。
【００６２】
本実施例では、弁部材（エンジン本体）２の位置を考慮して、小分け装置Ｘの手前側から嵌め込む方式を採用しているが、これに限定するものではない。
【００６３】
また、固定杆８の被嵌合部分又は固定レール８ａは、２本の長杆状の角筒状部材８の先端部側であるが、これは強度性を考慮したものである。設計如何によっては、固定部材１を構成する前壁１ｂの下部に短杆状の被嵌合部分又は固定レールの基端部を適宜に固定することも可能であるが、スープ類を収納したホッパーＹの重みを考慮すると、図１２で示すように、長杆状のベース部材８の先端部側８ａを被嵌合部分又は固定レールとして利用するのが最適である。
【００６４】
また、本実施例に於いて、小分け装置Ｘは合計３台であるが、これは一例であり、例えば２台又は４台の場合には、連結部材２０の左右部位の側壁は、小分け装置Ｘの数に対応して、連結対象の最も左右に位置する被嵌合部分又は固定レールに嵌り合うように寸法設定される。さらに、連結部材２０は、小分け装置Ｘの前壁下部或は固定杆に対して磁石の極性に対応して吸着自在に固定できれば良いから、磁石の設ける位置は実施例に限定されない。つまり、連結部材２０の内壁面や端部、固定杆等の適宜箇所に設けても良い。
【産業上の利用可能性】
【００６５】
本発明は、主にポンプ業界で製造され、例えばスープ類（スープ、ソイスープなど）を小分けしてお客に提供する食品サービス業の業界で利用される。
【図面の簡単な説明】
【００６６】
図１乃至図１２は本発明の最良の実施例を示す各説明図。
【図１】小分け装置にホッパーをセットした後、攪拌手段を利用して使用する一例を示した概略説明図。
【図２】右側面からの概略説明図。
【図３】主要部を含む環境説明図。
【図４】ホッパーＹに関する概略説明図。
【図５】ホッパーと弁部材の突出嵌合部との嵌合状態を示す説明図。
【図６】栓部材を抜き抜く説明図。
【図７】合計３台の小分け装置（下部側のみ示す）を横方向にかつ隣接状態に併設した状態と、連結手段をそれぞれ示す概略説明図。
【図８】連結手段を裏側から見た説明図。
【図９】連結手段を嵌め込み、かつ、押してセットした状態の概略説明図。
【図１０】受け皿部材の説明図。
【図１１】画定開口と受け皿部材の皿本体との関係を示す概略説明図。
【図１２】固定杆を有するベース部材等の概略説明図。
【符号の説明】
【００６７】
Ｘ…小分け装置、Ｙ…ホッパー、Ｚ…攪拌手段、ｆースープ、１…固定側部材、１ａ…筐体部分、１ｂ…前壁、８…長杆状ベース部材、８ａ…固定杆（例えば固定レール）、８ｂ…後端部側、１８ａ…摺動部分、２０…連結部材、２１…画定開口、２３…先端連結部、２４…後端連結部、２４ａ…吸着板、２５…仕切板、２６…磁石、２７…受け皿部材、２８…皿本体、２９…受板、２９ａ…支持孔、２９ｂ…切欠、１ｅ…支持部材、１ｆ…上部水平板、２…弁部材（エンジン本体）、３…外筒体（外弁）、１１…内筒体（内弁）、１２…開口、１８…押し出し作動体。
【図１】
2008195410.tif 000003
【図２】
2008195410.tif 000004
【図３】
2008195410.tif 000005
【図４】
2008195410.tif 000006
【図５】
2008195410.tif 000007
【図６】
2008195410.tif 000008
【図７】
2008195410.tif 000009
【図８】
2008195410.tif 000010
【図９】
2008195410.tif 000011
【図１０】
2008195410.tif 000012
【図１１】
2008195410.tif 000013
【図１２】
2008195410.tif 000014